(57)【特許請求の範囲】
【請求項１】
表示機能層と、
第１の方向に延在するように並設された複数のタッチ検出電極と、
前記第１の方向と交差する第２の方向に延在するように並設され、前記複数のタッチ検出電極との交差部分に静電容量を形成する複数の駆動電極と、
を備え、
前記複数の駆動電極が、有効表示領域に配置された前記複数のタッチ検出電極のうちの最も外側に位置するタッチ検出電極の中心から、前記複数のタッチ検出電極の配列ピッチの半分の距離だけ離れた第１の位置もしくはその外側の第２の位置まで延伸し、
前記有効表示領域の外縁が前記第１の位置もしくはその内側にあり、
前記複数のタッチ検出電極は、互いに同じ電極幅で形成されるとともに異なる配列ピッチで配置され、
前記有効表示領域内において、外側に配置されたタッチ検出電極の配列ピッチは、より内側に配置されたタッチ検出電極の配列ピッチと同じもしくは広くなっている
タッチ検出機能付き表示装置。
【請求項２】
表示機能層と、
第１の方向に延在するように並設された複数のタッチ検出電極と、
前記第１の方向と交差する第２の方向に延在するように並設され、前記複数のタッチ検出電極との交差部分に静電容量を形成する複数の駆動電極と、
を備え、
前記複数の駆動電極が、有効表示領域に配置された前記複数のタッチ検出電極のうちの最も外側に位置するタッチ検出電極の中心から、前記複数のタッチ検出電極の配列ピッチの半分の距離だけ離れた第１の位置もしくはその外側の第２の位置まで延伸し、
前記有効表示領域の外縁が前記第１の位置もしくはその内側にあり、
前記複数のタッチ検出電極は、互いに異なる電極幅で形成されるとともに同じ配列ピッチで配置され、
前記有効表示領域内において、外側に配置されたタッチ検出電極の電極幅は、より内側に配置されたタッチ検出電極の電極幅と同じもしくは狭くなっている
タッチ検出機能付き表示装置。
【請求項３】
前記複数の駆動電極は、前記第１の方向における前記有効表示領域の外側にも並設されている
請求項１または請求項２に記載のタッチ検出機能付き表示装置。
【請求項４】
前記複数のタッチ検出電極は、前記第２の方向における前記有効表示領域の外側にも並設されるとともに、少なくとも一番外側の駆動電極の外側の第３の位置まで延伸している
請求項１乃至請求項３のいずれか一項に記載のタッチ検出機能付き表示装置。
【請求項５】
前記複数のタッチ検出電極の上に、少なくとも前記有効表示領域を覆うように形成された表面層をさらに備え、
前記第２の方向における外側の前記表面層の厚さは、より内側の前記表面層の厚さと同じもしくは薄くなっている
請求項１乃至請求項３のいずれか一項に記載のタッチ検出機能付き表示装置。
【請求項６】
前記表示機能層は、液晶表示層と、画素電極と、共通電極とを有する
請求項１または請求項２に記載のタッチ検出機能付き表示装置。
【請求項７】
前記共通電極は、前記駆動電極と共用されている
請求項６に記載のタッチ検出機能付き表示装置。
【請求項８】
前記共通電極は、前記画素電極を挟んで前記液晶表示層とは反対側に配置され、もしくは、前記液晶表示層と前記画素電極の間に配置された
請求項６または請求項７に記載のタッチ検出機能付き表示装置。
【請求項９】
前記共通電極は、前記液晶表示層を挟んで前記画素電極とは反対側に配置された
請求項６または請求項７に記載のタッチ検出機能付き表示装置。
【請求項１０】
タッチ検出機能付き表示装置と、
前記タッチ検出機能付き表示装置を利用した動作制御を行う制御部と
を備え、
前記タッチ検出機能付き表示装置は、
表示機能層と、
第１の方向に延在するように並設された複数のタッチ検出電極と、
前記第１の方向と交差する第２の方向に延在するように並設され、前記複数のタッチ検出電極との交差部分に静電容量を形成する複数の駆動電極と、
を備え、
前記複数の駆動電極が、有効表示領域に配置された前記複数のタッチ検出電極のうちの最も外側に位置するタッチ検出電極の中心から、前記複数のタッチ検出電極の配列ピッチの半分の距離だけ離れた第１の位置もしくはその外側の第２の位置まで延伸し、
前記有効表示領域の外縁が前記第１の位置もしくはその内側にあり、
前記複数のタッチ検出電極は、互いに同じ電極幅で形成されるとともに異なる配列ピッチで配置され、
前記有効表示領域内において、外側に配置されたタッチ検出電極の配列ピッチは、より内側に配置されたタッチ検出電極の配列ピッチと同じもしくは広くなっている
電子機器。
【請求項１１】
タッチ検出機能付き表示装置と、
前記タッチ検出機能付き表示装置を利用した動作制御を行う制御部と
を備え、
前記タッチ検出機能付き表示装置は、
表示機能層と、
第１の方向に延在するように並設された複数のタッチ検出電極と、
前記第１の方向と交差する第２の方向に延在するように並設され、前記複数のタッチ検出電極との交差部分に静電容量を形成する複数の駆動電極と、
を備え、
前記複数の駆動電極が、有効表示領域に配置された前記複数のタッチ検出電極のうちの最も外側に位置するタッチ検出電極の中心から、前記複数のタッチ検出電極の配列ピッチの半分の距離だけ離れた第１の位置もしくはその外側の第２の位置まで延伸し、
前記有効表示領域の外縁が前記第１の位置もしくはその内側にあり、
前記複数のタッチ検出電極は、互いに異なる電極幅で形成されるとともに同じ配列ピッチで配置され、
前記有効表示領域内において、外側に配置されたタッチ検出電極の電極幅は、より内側に配置されたタッチ検出電極の電極幅と同じもしくは狭くなっている
電子機器。
【発明の詳細な説明】
【技術分野】
【０００１】
本発明は、タッチ検出機能を有する表示装置に係り、特に外部近接物体による静電容量の変化に基づいてタッチを検出するタッチ検出機能付き表示装置、およびそのようなタッチ検出機能付き表示装置を備えた電子機器に関する。
【背景技術】
【０００２】
近年、いわゆるタッチパネルと呼ばれる接触検出装置を液晶表示装置等の表示装置上に装着し、あるいはタッチパネルと表示装置とを一体化し、その表示装置に各種のボタン画像等を表示させることにより、通常の機械式ボタンの代わりとして情報入力を可能とした表示装置が注目されている。このようなタッチパネルを有する表示装置は、キーボードやマウス、キーパッドのような入力装置を必要としないため、コンピュータのほか、携帯電話のような携帯情報端末などでも、使用が拡大する傾向にある。
【０００３】
タッチ検出方式にはいくつかの方式が存在するが、その一つとして静電容量式がある。例えば、特許文献１には、表示装置にもともと備えられている表示用の共通電極を、一対のタッチセンサ用電極のうちの一方として兼用し、他方の電極（タッチ検出電極）をこの共通電極と交差するように配置した表示装置が提案されている。また、特許文献２には、Ｘ軸方向とＹ軸方向に沿って形成された複数の電極を備えたタッチパネルが提案されている。また、特許文献３には、一つの層に、幅が場所によって異なる３つの電極を備えたセンサ装置が提案されている。また、特許文献４には、Ｘ軸方向とＹ軸方向に沿って形成された複数の電極を備え、タッチパネルの操作面にミスタッチを防ぐための凹凸を設けるとともに、その凹凸があっても静電容量が一定になるように構成されたタッチパネルが提案されている。
【先行技術文献】
【特許文献】
【０００４】
【特許文献１】特開２００９−２４４９５８号公報
【特許文献２】特開２００８−２１７７８４号公報
【特許文献３】米国特許第７３８２１３９号明細書
【特許文献４】特開２００８−８６２３６号公報
【発明の概要】
【発明が解決しようとする課題】
【０００５】
ところで、一般に、タッチ検出装置では、そのタッチ検出面内において、検出感度が均一であることが望まれている。しかしながら、静電容量式のタッチ検出装置では、例えば、タッチ検出面の端の領域における検出感度が、検出面の中央部における検出感度より低くなるなど、検出感度の均一性が低下するおそれがある。しかしながら、特許文献１に記載の表示装置、特許文献２に記載のタッチパネル、特許文献３に記載のセンサ装置には、検出感度の均一性に関する記載はない。また、特許文献４に記載のタッチパネルでは、タッチ検出面の端の領域における検出感度については、一切触れられていない。
【０００６】
本発明はかかる問題点に鑑みてなされたもので、その目的は、タッチに対する検出感度の均一性を高めることができるタッチ検出機能付き表示装置および電子機器を提供することにある。
【課題を解決するための手段】
【０００７】
本発明のタッチ検出機能付き表示装置は、表示機能層と、複数のタッチ検出電極と、複数の駆動電極とを備えている。複数のタッチ検出電極は、第１の方向に延在するように並設されている。複数の駆動電極は、第１の方向と交差する第２の方向に延在するように並設され、複数のタッチ検出電極との交差部分に静電容量を形成するものである。上記複数の駆動電極は、有効表示領域に配置された複数のタッチ検出電極のうちの最も外側に位置するタッチ検出電極の中心から、複数のタッチ検出電極の配列ピッチの半分の距離だけ離れた第１の位置もしくはその外側の第２の位置まで延伸し、有効表示領域の外縁は、第１の位置もしくはその内側に位置するようになっている。
【０００８】
本発明の電子機器は、上記タッチ検出機能付き表示装置を備えたものであり、例えば、テレビジョン装置、デジタルカメラ、パーソナルコンピュータ、ビデオカメラあるいは携帯電話等の携帯端末装置などが該当する。
【０００９】
本発明のタッチ検出機能付き表示装置および電子機器では、表示機能層において表示が行われ、駆動電極およびタッチ検出電極の間の静電容量の変化に基づいて外部近接物体に対するタッチ検出が行われる。この駆動電極は、有効表示領域内の一番外側のタッチ検出電極の中心からその配列ピッチの半分の距離だけ離れた第１の位置もしくはその外側の第２の位置まで延伸するように形成されており、この一番外側のタッチ検出電極の電気力線は、内側のタッチ検出電極の電気力線とほぼ同じように形成される。また、有効表示領域の外縁は、第１の位置もしくはその内側に位置するようになっている。
【００１０】
本発明のタッチ検出機能付き表示装置では、例えば、複数の駆動電極は、第１の方向における有効表示領域の外側にも並設されていてもよい。また、例えば、複数のタッチ検出電極は、第２の方向における有効表示領域の外側にも並設されるとともに、少なくとも一番外側の駆動電極の外側の第３の位置まで延伸していてもよい。
【００１１】
例えば、複数のタッチ検出電極は、互いに同じ電極幅で形成されるとともに異なる配列ピッチで配置され、有効表示領域内において、外側に配置されたタッチ検出電極の配列ピッチは、より内側に配置されたタッチ検出電極の配列ピッチと同じもしくは広くなっていてもよい。
【００１２】
また、複数のタッチ検出電極は、例えば、互いに異なる電極幅で形成されるとともに同じ配列ピッチで配置され、有効表示領域内において、外側に配置されたタッチ検出電極の電極幅は、より内側に配置されたタッチ検出電極の電極幅と同じもしくは狭くなっていてもよい。
【００１３】
また、例えば、複数のタッチ検出電極の上に、少なくとも有効表示領域を覆うように形成された表面層をさらに備え、第２の方向における外側の表面層の厚さは、より内側の表面層の厚さと同じもしくは薄くなっていてもよい。
【００１４】
また、例えば、表示機能層は、液晶表示層と、画素電極と、共通電極とを有するものであってもよい。この場合、例えば、共通電極は、駆動電極と共用するようにしてもよい。例えば、共通電極は、画素電極を挟んで液晶表示層とは反対側に配置され、もしくは、液晶表示層と画素電極の間に配置されるようにしてもよいし、液晶表示層を挟んで画素電極とは反対側に配置されるようにしてもよい。
【発明の効果】
【００１５】
本発明のタッチ検出機能付き表示装置および電子機器によれば、駆動電極を、第１の位置もしくはその外側の第２の位置まで延伸するとともに、有効表示領域の外縁が第１の位置もしくはその内側に位置するようにしたので、一番外側のタッチ検出電極に対応する領域での検出感度を、より内側のタッチ検出電極に対応する領域での検出感度と同等にすることができ、有効表示領域内における検出感度の均一性を高めることができる。
【図面の簡単な説明】
【００１６】
【図１】本発明のタッチ検出機能付き表示装置におけるタッチ検出方式の基本原理を説明するための図であり、指が接触または近接していない状態を表す図である。
【図２】本発明のタッチ検出機能付き表示装置におけるタッチ検出方式の基本原理を説明するための図であり、指が接触または近接した状態を表す図である。
【図３】本発明のタッチ検出機能付き表示装置におけるタッチ検出方式の基本原理を説明するための図であり、駆動信号およびタッチ検出信号の波形の一例を表す図である。
【図４】本発明の第１の実施の形態に係るタッチ検出機能付き表示装置の一構成例を表す平面図および断面図である。
【図５】図４に示したタッチ検出機能付き表示装置の概略断面構造を表す断面図である。
【図６】図４に示したタッチ検出機能付き表示装置の画素配列を表す回路図である。
【図７】図５に示したタッチ検出機能付き表示装置の共通電極およびタッチ検出電極の一構成例を表す斜視図である。
【図８】共通電極およびタッチ検出電極の間のフリンジ起因の電気力線を表す模式図である。
【図９】第１の実施の形態の変形例に係るタッチ検出機能付き表示装置の一構成例を表す平面図および断面図である。
【図１０】第２の実施の形態に係るタッチ検出機能付き表示装置の一構成例を表す平面図および断面図である。
【図１１】電極ピッチを変えたときのフリンジによる電気力線の変化を表す模式図である。
【図１２】電極ピッチと検出感度との関係を表す特性図である。
【図１３】第３の実施の形態に係るタッチ検出機能付き表示装置の一構成例を表す平面図および断面図である。
【図１４】電極幅を変えたときのフリンジによる電気力線の変化を表す模式図である。
【図１５】電極幅と検出感度との関係を表す特性図である。
【図１６】第４の実施の形態に係るタッチ検出機能付き表示装置の一構成例を表す平面図および断面図である。
【図１７】表面ガラス板の厚さを変えたときのフリンジによる電気力線の変化を表す模式図である。
【図１８】第５の実施の形態に係るタッチ検出装置の一構成例を表す平面図および断面図である。
【図１９】第６の実施の形態に係るタッチ検出装置の一構成例を表す平面図および断面図である。
【図２０】第７の実施の形態に係るタッチ検出装置の一構成例を表す平面図および断面図である。
【図２１】実施の形態を適用したタッチ検出機能付き表示装置等のうち、適用例１の外観構成を表す斜視図である。
【図２２】適用例２の外観構成を表す斜視図である。
【図２３】適用例３の外観構成を表す斜視図である。
【図２４】適用例４の外観構成を表す斜視図である。
【図２５】適用例５の外観構成を表す正面図、側面図、上面図および下面図である。
【図２６】各実施の形態等の変形例に係るタッチ検出機能付き表示装置の概略断面構造を表す断面図である。
【発明を実施するための形態】
【００１７】
以下、本発明の実施の形態について、図面を参照して詳細に説明する。なお、説明は以下の順序で行う。
１．静電容量式タッチ検出の基本原理
２．第１の実施の形態（タッチ検出機能付き表示装置）
３．第２の実施の形態（タッチ検出機能付き表示装置）
４．第３の実施の形態（タッチ検出機能付き表示装置）
５．第４の実施の形態（タッチ検出機能付き表示装置）
６．第５の実施の形態（タッチ検出装置）
７．第６の実施の形態（タッチ検出装置）
８．第７の実施の形態（タッチ検出装置）
９．適用例
【００１８】
＜１．静電容量式タッチ検出の基本原理＞
まず最初に、図１〜図３を参照して、本発明のタッチ検出機能付き表示装置におけるタッチ検出の基本原理について説明する。このタッチ検出方式は、静電容量式のタッチセンサとして具現化されるものであり、例えば図１（Ａ）に示したように、誘電体Ｄを挟んで互いに対向配置された一対の電極（駆動電極Ｅ１およびタッチ検出電極Ｅ２）を用い、容量素子を構成する。この構造は、図１（Ｂ）に示した等価回路として表される。駆動電極Ｅ１、タッチ検出電極Ｅ２および誘電体Ｄによって、容量素子Ｃ１が構成される。容量素子Ｃ１は、その一端が交流信号源（駆動信号源）Ｓに接続され、他端Ｐは抵抗器Ｒを介して接地されると共に、電圧検出器（タッチ検出回路）ＤＥＴに接続される。交流信号源Ｓから駆動電極Ｅ１（容量素子Ｃ１の一端）に所定の周波数（例えば数ｋＨｚ〜数十ｋＨｚ程度）の交流矩形波Ｓｇ（図３（Ｂ））を印加すると、タッチ検出電極Ｅ２（容量素子Ｃ１の他端Ｐ）に、図３（Ａ）に示したような出力波形（タッチ検出信号Ｖdet）が現れる。なお、この交流矩形波Ｓｇは、後述する駆動信号Ｖcomに相当するものである。
【００１９】
例えば指が接触（または近接）していない状態では、図１に示したように、容量素子Ｃ１に対する充放電に伴って、容量素子Ｃ１の容量値に応じた電流Ｉ０が流れる。このときの容量素子Ｃ１の他端Ｐの電位波形は、例えば図３（Ａ）の波形Ｖ０のようになり、これが電圧検出器ＤＥＴによって検出される。
【００２０】
一方、指が接触（または近接）した状態では、図２に示したように、指によって形成される容量素子Ｃ２が容量素子Ｃ１に直列に追加された形となる。この状態では、容量素子Ｃ１、Ｃ２に対する充放電に伴って、それぞれ電流Ｉ１、Ｉ２が流れる。このときの容量素子Ｃ１の他端Ｐの電位波形は、例えば図３（Ａ）の波形Ｖ１のようになり、これが電圧検出器ＤＥＴによって検出される。このとき、点Ｐの電位は、容量素子Ｃ１、Ｃ２を流れる電流Ｉ１、Ｉ２の値によって定まる分圧電位となる。このため、波形Ｖ１は、非接触状態での波形Ｖ０よりも小さい値となる。電圧検出器ＤＥＴは、検出した電圧を所定のしきい値電圧Ｖthと比較し、このしきい値電圧以上であれば非接触状態と判断する一方、しきい値電圧未満であれば接触状態と判断する。このようにして、タッチ検出が可能となる。なお、この例では、指の接触を例に説明したが、これに限定されるものではなく、例えばスタイラスなどであってもよい。
【００２１】
＜２．第１の実施の形態＞
［構成例］
（全体構成例）
図４は、本発明の実施の形態に係るタッチ検出機能付き表示装置の一構成例を表すものであり、図５は図４の要部断面構造の例を表すものである。このタッチ検出機能付き表示装置は、表示素子として液晶表示素子を用いており、その液晶表示素子により構成される液晶表示デバイスと静電容量式のタッチ検出デバイスとを一体化した、いわゆるインセルタイプの装置である。
【００２２】
タッチ検出機能付き表示装置１は、画素基板２と、この画素基板２に対向して配置された対向基板３と、画素基板２と対向基板３との間に挿設された液晶層６とを備えている。
【００２３】
画素基板２は、図５に示したように、回路基板としてのＴＦＴ基板２１と、共通電極ＣＯＭＬと、画素電極２２とを有している。ＴＦＴ基板２１は、各種電極や配線、薄膜トランジスタ（ＴＦＴ；Thin Film Transistor）などが形成される回路基板として機能するものである。ＴＦＴ基板２１は例えばガラスにより構成されるものである。ＴＦＴ基板２１の上には、共通電極ＣＯＭＬが形成される。共通電極ＣＯＭＬは、複数の画素Ｐix（後述）に共通の電圧を供給するための電極であり、透光性を有するものである。また、共通電極ＣＯＭＬは、タッチセンサにおいて、交流矩形波Ｓｇを印加する電極としても用いられる。すなわち、共通電極ＣＯＭＬは、上述した静電容量式タッチ検出の基本原理における駆動電極Ｅ１に対応するものである。共通電極ＣＯＭＬは、図４に示したように、タッチ検出機能付き表示装置１が表示を行う領域である有効表示領域Ｓ内にわたり、一方向に延在するように並設されている。そして、共通電極ＣＯＭＬのそれぞれは、この有効表示領域Ｓの外側に延伸するように形成されている。共通電極ＣＯＭＬの上には絶縁膜２３が形成され、その上に画素電極２２が形成される。画素電極２２は、表示を行うための画素信号を供給するための電極であり、透光性を有するものである。共通電極ＣＯＭＬおよび画素電極２２は、例えばＩＴＯ（Indium Tin Oxide）により構成される。
【００２４】
対向基板３は、図５に示したように、ガラス基板３１と、カラーフィルタ３２と、タッチ検出電極ＴＤＬとを有している。カラーフィルタ３２は、ガラス基板３１の一方の面に形成されている。このカラーフィルタ３２は、例えば赤（Ｒ）、緑（Ｇ）、青（Ｂ）の３色のカラーフィルタ層を周期的に配列して構成したもので、各表示画素にＲ、Ｇ、Ｂの３色が１組として対応付けられている。また、ガラス基板３１の他方の面には、タッチ検出電極ＴＤＬが、有効表示領域Ｓ内にわたり、共通電極ＣＯＭＬと交差する方向に延在するように並設されている。タッチ検出電極ＴＤＬは、タッチセンサにおいて、タッチ検出信号Ｖdetを出力する電極である。すなわち、タッチ検出電極ＴＤＬは、上述した静電容量式タッチ検出の基本原理におけるタッチ検出電極Ｅ２に対応するものである。タッチ検出電極ＴＤＬは、例えばＩＴＯにより構成され、透光性を有する電極である。タッチ検出電極ＴＤＬは、タッチ検出信号Ｖdetを外部に出力する為のフレキシブルプリント基板（ＦＰＣ）５に接続されている。このタッチ検出電極ＴＤＬの上には、偏光板３５が配設されており、そのさらに上には、表面ガラス板（図示せず）が配置されている。
【００２５】
液晶層６は、表示機能層として機能するものであり、電界の状態に応じてそこを通過する光を変調するものである。この電界は、共通電極ＣＯＭＬの電圧と画素電極２２の電圧との電位差により形成される。液晶層６には、ＦＦＳ（フリンジフィールドスイッチング）やＩＰＳ（インプレーンスイッチング）等の横電界モードの液晶が用いられる。液晶層６は、画素基板２と対向基板３との間に、シール４により封止されている。
【００２６】
なお、液晶層６と画素基板２との間、および液晶層６と対向基板３との間には、それぞれ配向膜が配設され、また、画素基板２の下面側には入射側偏光板が配置されるが、ここでは図示を省略している。
【００２７】
図６は、タッチ検出機能付き表示装置１における画素構造の構成例を表すものである。タッチ検出機能付き表示装置１は、マトリックス状に配列した複数の画素Ｐixを有している。画素Ｐixは、ＴＦＴ素子Ｔｒおよび液晶素子ＬＣを有している。ＴＦＴ素子Ｔｒは、薄膜トランジスタにより構成されるものであり、この例では、ｎチャネルのＭＯＳ（Metal Oxide Semiconductor）型のＴＦＴで構成されている。ＴＦＴ素子Ｔｒのソースは画素信号線ＳＧＬに接続され、ゲートは走査信号線ＧＣＬに接続され、ドレインは液晶素子ＬＣの一端に接続されている。液晶素子ＬＣは、一端がＴＦＴ素子Ｔｒのドレインに接続され、他端が共通電極ＣＯＭＬに接続されている。
【００２８】
画素Ｐixは、走査信号線ＧＣＬにより、タッチ検出機能付き表示装置１の同じ行に属する他の画素Ｐixと互いに接続されている。また、画素Ｐixは、画素信号線ＳＧＬにより、タッチ検出機能付き表示装置１の同じ列に属する他の画素Ｐixと互いに接続されている。  さらに、画素Ｐixは、共通電極ＣＯＭＬにより、タッチ検出機能付き表示装置１の同じ行に属する他の画素Ｐixと互いに接続されている。
【００２９】
図７は、タッチ検出機能付き表示装置１におけるタッチセンサの一構成例を斜視的に表すものである。このタッチセンサは、画素基板２に設けられた共通電極ＣＯＭＬおよび対向基板３に設けられたタッチ検出電極ＴＤＬにより構成されている。共通電極ＣＯＭＬは、図の左右方向に延在する複数のストライプ状の電極パターンにより構成されている。タッチ検出動作を行う際は、各電極パターンには、駆動信号Ｖcom（上述した静電容量式タッチ検出の基本原理における交流矩形波Ｓｇに対応）が順次供給され、時分割的に順次走査駆動が行われるようになっている。タッチ検出電極ＴＤＬは、共通電極ＣＯＭＬの電極パターンの延在方向と交差する方向に延びる電極パターンにより構成されている。共通電極ＣＯＭＬとタッチ検出電極ＴＤＬにより互いに交差した電極パターンは、その交差部分に静電容量を形成している。タッチ検出電極ＴＤＬの各電極パターンは、ＦＰＣ５を介して図示しないタッチ検出回路に接続され、タッチ検出電極ＴＤＬから供給されるタッチ検出信号Ｖdetに基づいてタッチの検出が行われるようになっている。
【００３０】
図６に示したタッチセンサは、上述したタッチ検出の基本原理に従って動作するものである。すなわち、共通電極ＣＯＭＬは上述したタッチ検出の基本原理における駆動電極Ｅ１に対応し、タッチ検出電極ＴＤＬはタッチ検出電極Ｅ２に対応するものである。図６に示したように、互いに交差した電極パターンは、静電容量式タッチセンサ素子をマトリックス状に構成している。よって、タッチ検出機能付き表示装置１のタッチ検出面全体にわたって走査することにより、外部近接物体の接触または近接が生じた位置の検出も可能となっている。
【００３１】
ここで、液晶層６、共通電極ＣＯＭＬ、および画素電極２２は、本発明における「表示機能層」の一具体例に対応する。共通電極ＣＯＭＬは、本発明における「駆動電極」の一具体例に対応する。
【００３２】
［作用および効果］
続いて、本実施の形態のタッチ検出機能付き表示装置１の作用および効果について説明する。
【００３３】
まず、図４〜７を参照して、タッチ検出機能付き表示装置１の全体動作概要を説明する。表示動作では、画素電極２２および共通電極ＣＯＭＬに供給された信号に基づいて、液晶層６に電界が形成され、液晶層６の液晶分子の向きが変わり、通過する光が変調されることにより表示が行われる。タッチ検出動作では、共通電極ＣＯＭＬに駆動信号Ｖcomが順次供給され、共通電極ＣＯＭＬとタッチ検出電極ＴＤＬとの間の静電容量を介してタッチ検出電極ＴＤＬに伝わり、タッチ検出信号Ｖdetとして出力される。そしてこのタッチ検出信号ＶdetがＦＰＣ５を介して外部（例えばタッチ検出回路）に供給され、タッチの有無やタッチ位置の検出が行われる。
【００３４】
図４に示したように、共通電極ＣＯＭＬは、有効表示領域Ｓの外側に延伸するように形成されている。これによりタッチ検出機能付き表示装置１では、有効表示領域Ｓの端の部分における検出感度を、有効表示領域Ｓの中央部における検出感度と同等にすることができ、これにより、有効表示領域Ｓにおけるタッチに対する検出感度の均一性を高めることができる。以下に、その詳細を説明する。
【００３５】
図８は、共通電極ＣＯＭＬとタッチ検出電極ＴＤＬとの間のフリンジによる電気力線を模式的に表すものであり、（Ａ）は共通電極ＣＯＭＬが短い場合の例（比較例）を示し、（Ｂ）は共通電極ＣＯＭＬが長い場合の例（本実施の形態の例）を示す。この図８は、図４において、タッチ検出機能付き表示装置１のＶＩＩＩ−ＶＩＩＩ矢視方向の断面図を示している。
【００３６】
比較例に係る図８（Ａ）の例では、共通電極ＣＯＭＬは、一番外側のタッチ検出電極ＴＤＬ（図８（Ａ）の左のタッチ検出電極ＴＤＬ）の中心から、タッチ検出電極ＴＤＬの電極ピッチｄの半分未満に対応する距離ｄｅ１（＜ｄ／２）だけ延伸している。一方、本実施の形態に係る図８（Ｂ）の例では、共通電極ＣＯＭＬは、一番外側のタッチ検出電極ＴＤＬの中心から、電極ピッチｄの半分以上に対応する距離ｄｅ２（≧ｄ／２）だけ延伸している。
【００３７】
比較例に係る図８（Ａ）では、共通電極ＣＯＭＬが短いため、この一番外側のタッチ検出電極ＴＤＬのフリンジによる電気力線は、外側（部分Ｐ１）において少なくなってしまう。すなわち、この一番外側のタッチ検出電極ＴＤＬのフリンジによる電気力線の数は、他のタッチ検出電極ＴＤＬのものよりも少なくなってしまう。これにより、一番外側のタッチ検出電極ＴＤＬに対応する領域における検出感度は、他のタッチ検出電極ＴＤＬに対応する領域における検出感度に比べて低くなってしまう。
【００３８】
一方、本実施の形態に係る図８（Ｂ）では、共通電極ＣＯＭＬを長くすることにより、一番外側のタッチ検出電極ＴＤＬのフリンジによる電気力線の減少を最小限に抑えることができる（部分Ｐ２）。これにより、この一番外側のタッチ検出電極ＴＤＬのフリンジによる電気力線の数を、他のタッチ検出電極ＴＤＬのものと同等にすることができ、他のタッチ検出電極ＴＤＬに対応する領域における検出感度と比較して、この一番外側のタッチ検出電極ＴＤＬに対応する領域における検出感度の低下を最小限に抑えることができる。さらに、図４に示したように、タッチ検出電極ＴＤＬを有効表示領域Ｓ内にわたり並設するようにしたので、有効表示領域Ｓ内において、タッチに対する検出感度を均一にすることができる。
【００３９】
タッチ検出電極ＴＤＬとＦＰＣ５を介して接続されたタッチ検出回路では、タッチ検出信号Ｖdetに基づいてタッチの検出が行われる。一般に、タッチ検出回路は、供給されたタッチ検出信号Ｖdetに基づいて、有効表示領域内Ｓにおいてタッチに対する検出感度が均一になるように補正演算を行い、その演算結果に基づいてタッチ位置などを求める。タッチ検出機能付き表示装置１では、上述したように、タッチ検出電極ＴＤＬを延ばすことにより検出感度の均一性を改善するようにしたので、タッチ検出回路における補正演算による補正量を減らすことができ、例えばタッチ位置の検出精度を高めることができる。
【００４０】
（効果）
以上のように、本実施の形態では、共通電極を、一番外側のタッチ検出電極の中心から、タッチ検出電極の電極ピッチの半分以上に対応する距離だけ延伸するようにしたので、この一番外側のタッチ検出電極に対応する領域における検出感度を、より内側のタッチ検出電極に対応する領域における検出感度と同等にすることができる。
【００４１】
さらに、本実施の形態では、タッチ検出電極を有効表示領域内にわたり並設するようにしたので、有効表示領域における検出感度の均一性を高めることができる。また、これにより、タッチ検出回路における補正演算による補正量を減らすことができるため、例えば、タッチ位置の検出精度を高めることができる。
【００４２】
［変形例１］
上記実施の形態では、共通電極ＣＯＭＬおよびタッチ検出電極ＴＤＬを有効表示領域Ｓ内にわたり並設したが、これに限定されるものではなく、これに代えて、例えば、共通電極ＣＯＭＬを有効表示領域Ｓ外にも並設してもよいし、タッチ検出電極ＴＤＬを有効表示領域Ｓ外にも並設してもよい。以下に、共通電極ＣＯＭＬおよびタッチ検出電極ＴＤＬを有効表示領域Ｓ外に並設した場合の例を示す。
【００４３】
図９は、本変形例に係るタッチ検出機能付き表示装置１Ｂの一構成例を表すものである。図９に示したように、共通電極ＣＯＭＬは、有効表示領域Ｓ外（図９の右端および左端）においても並設されている。タッチ検出電極ＴＤＬもまた、有効表示領域Ｓ外（図９の上端および下端）においても並設されている。また、タッチ検出電極ＴＤＬは、有効表示領域Ｓ外（図９の左端）において、一番外側の共通電極ＣＯＭＬに対応する位置にまで延伸して形成されている。これにより、タッチ検出機能付き表示装置１Ｂでは、有効表示領域Ｓにおいて検出感度を均一にすることができるとともに、タッチ検出領域Ｓｔを有効表示領域Ｓより広くすることができる。
【００４４】
＜３．第２の実施の形態＞
次に、本発明の第２の実施の形態に係るタッチ検出機能付き表示装置７について説明する。本実施の形態は、タッチ検出電極の電極ピッチｄ（配列ピッチ）が、有効表示領域Ｓにおいて場所により異なるようにしたものである。その他の構成は、上記第１の実施の形態（図４）と同様である。なお、上記第１の実施の形態に係るタッチ検出機能付き表示装置１と実質的に同一の構成部分には同一の符号を付し、適宜説明を省略する。
【００４５】
図１０は、タッチ検出機能付き表示装置７の一構成例を表すものである。タッチ検出機能付き表示装置７において、タッチ検出電極ＴＤＬは、図１０に示したように、その電極ピッチｄが場所により異なるように並設されている。具体的には、タッチ検出電極ＴＤＬは、タッチ検出電極ＴＤＬの延在方向と交差する方向において、有効表示領域Ｓの中央付近では電極ピッチｄが狭くなるように配置され、有効表示領域Ｓの端付近では電極ピッチｄが広くなるように配置されている。なお、タッチ検出電極ＴＤＬの配置は、これに限定されるものではなく、例えば、タッチ検出電極ＴＤＬの延在方向と交差する方向において、一番外側のタッチ検出電極ＴＤＬのみ、電極ピッチｄが広くなるようにしてもよい。
【００４６】
図１１は、タッチ検出電極ＴＤＬの電極ピッチｄを変えたときのフリンジによる電気力線の変化を模式的に表すものであり、（Ａ）は電極ピッチｄが狭い場合（電極ピッチｄ１）を示し、（Ｂ）は電極ピッチｄが広い場合（電極ピッチｄ２）を示す。この図１１は、説明の便宜上、タッチ検出電極ＴＤＬが２本だけ並設された場合を示している。図１１に示したように、電極ピッチｄを広くすると、フリンジによる電気力線の本数が増加する（部分Ｐ３）。これにより、その電気力線が増加したタッチ検出電極ＴＤＬに対応する領域における検出感度を高くすることができる。
【００４７】
図１２は、電極ピッチｄと検出感度Ｓensとの関係のシミュレーション結果を表すものである。電極ピッチｄがある値（電極ピッチｄａ）以下である場合には、図１２に示したように、電極ピッチｄが広くなるとともに、検出感度Ｓensは高くなる。ここで、例えば、タッチ検出電極ＴＤＬの電極幅ｗが１ｍｍの場合において、電極ピッチｄａは３ｍｍ程度である。このように、電極ピッチｄ＜ｄａの範囲において電極ピッチｄを変化させることにより、検出感度Ｓensを調整することができる。
【００４８】
図１０に示したように、タッチ検出機能付き表示装置７では、有効表示領域Ｓの中央付近では電極ピッチｄが狭くなるようにタッチ検出電極ＴＤＬを配置し、有効表示領域Ｓの端付近では電極ピッチｄが広くなるようにタッチ検出電極ＴＤＬを配置している。これにより、例えば、タッチ検出電極ＴＤＬを一定の電極ピッチｄで形成した場合において、有効表示領域Ｓの端付近で検出感度Ｓensが低くなったときは、その端付近に配置されたタッチ検出電極ＴＤＬの電極ピッチｄを広くすることにより、そのタッチ検出電極ＴＤＬに対応する領域の検出感度Ｓensを高めることができ、有効表示領域Ｓにおいて検出感度Ｓensを均一にすることができる。
【００４９】
なお、タッチ検出機能付き表示装置７では、タッチ検出電極ＴＤＬの電極ピッチが場所により異なっているので、タッチ検出回路では、この電極配置を考慮して座標補間を行うことによりタッチ位置を求める必要がある。
【００５０】
以上のように、本実施の形態では、タッチ検出電極の電極ピッチが場所により異なるようにしたので、タッチ検出電極に交差する方向において、検出感度を自由に設定することができる。
【００５１】
また、本実施の形態では、有効表示領域内において、外側に配置したタッチ検出電極の電極ピッチを、より内側に配置したタッチ検出電極の電極ピッチと同じもしくは広くしたので、有効表示領域における検出感度の均一性を高めることができる。また、これにより、タッチ検出回路における補正演算による補正量を減らすことができるため、例えば、タッチ位置の検出精度を高めることができる。
【００５２】
その他の効果は、上記第１の実施の形態の場合と同様である。
【００５３】
＜４．第３の実施の形態＞
次に、本発明の第３の実施の形態に係るタッチ検出機能付き表示装置８について説明する。本実施の形態は、タッチ検出電極の電極幅が、有効表示領域Ｓにおいて場所により異なるようにしたものである。その他の構成は、上記第１の実施の形態（図４）と同様である。なお、上記第１の実施の形態に係るタッチ検出機能付き表示装置１と実質的に同一の構成部分には同一の符号を付し、適宜説明を省略する。
【００５４】
図１３は、タッチ検出機能付き表示装置８の一構成例を表すものである。タッチ検出機能付き表示装置８において、タッチ検出電極ＴＤＬは、図１３に示したように、その電極幅ｗが場所により異なるように形成されている。具体的には、タッチ検出電極ＴＤＬは、タッチ検出電極ＴＤＬの延在方向と交差する方向において、有効表示領域Ｓの中央付近では電極幅ｗが広くなるように形成され、有効表示領域Ｓの端付近では電極幅ｗが狭くなるように形成されている。なお、タッチ検出電極ＴＤＬの幅は、これに限定されるものではなく、例えば、タッチ検出電極ＴＤＬの延在方向と交差する方向において、一番外側のタッチ検出電極ＴＤＬのみ、その電極幅ｗが狭くなるようにしてもよい。
【００５５】
図１４は、タッチ検出電極ＴＤＬの電極幅ｗを変えたときのフリンジによる電気力線の変化を模式的に表すものであり、（Ａ）は電極幅ｗが広い場合（電極幅ｗ２）を示し、（Ｂ）は電極幅ｗが狭い場合（電極幅ｗ１）を示す。この図１４は、説明の便宜上、タッチ検出電極ＴＤＬが２本だけ並設された場合を示している。図１４に示したように、電極幅ｗを狭くすると、電気力線の本数が増加する（部分Ｐ４）。これにより、その電気力線が増加したタッチ検出電極ＴＤＬに対応する領域における検出感度を高くすることができる。
【００５６】
図１５は、電極幅ｗと検出感度Ｓensとの関係のシミュレーション結果を表すものである。図１５に示したように、検出感度Ｓensは、ある電極幅ｗａのときに最大となり、その電極幅から離れるに従い低下する。ここで、例えば、タッチ検出電極ＴＤＬの電極ピッチｄが５ｍｍの場合では、この電極幅ｗａは１ｍｍ程度である。この図１５の右側において、電極幅ｗが電極幅ｗａよりも広くなると検出感度Ｓensが低下するのは、上述したように、電極幅ｗが広くなることによりフリンジによる電気力線が減少するためである。一方、この図１５の左側に示したように、電極幅ｗが電極幅ｗａよりも狭くなることにより検出感度Ｓensが低下するのは、電極幅ｗが狭くなることによりタッチ検出電極ＴＤＬの抵抗値が大きくなり時定数が大きくなるため、タッチ検出信号Ｖdetがタッチ検出電極ＴＤＬを通ってタッチ検出回路に伝わりにくくなることに起因している。このように、電極幅ｗを変化させることにより、検出感度Ｓensを調整することができる。
【００５７】
図１３に示したように、タッチ検出機能付き表示装置８では、有効表示領域Ｓの中央付近では電極幅ｗが広くなるようにタッチ検出電極ＴＤＬを配置し、有効表示領域Ｓの端付近では電極幅ｗが狭くなるようにタッチ検出電極ＴＤＬを配置している。これにより、例えば、図１５に示したように、タッチ検出電極ＴＤＬを、有効表示領域Ｓ内で一定の広い電極幅ｗ２で形成した場合において、有効表示領域Ｓの端付近で検出感度Ｓensが低くなったときは、その端付近に配置されたタッチ検出電極ＴＤＬの電極幅ｗ１のように狭くすることにより、そのタッチ検出電極ＴＤＬに対応する領域の検出感度Ｓensを高めることができ、有効表示領域Ｓにおいて検出感度Ｓensを均一にすることができる。
【００５８】
以上のように、本実施の形態では、タッチ検出電極の電極幅がそれぞれ異なるようにしたので、タッチ検出電極に交差する方向において、検出感度を自由に設定することができる。
【００５９】
また、本実施の形態では、有効表示領域内において、外側に配置したタッチ検出電極の電極幅を、より内側に配置したタッチ検出電極の電極幅と同じもしくは狭くしたので、有効表示領域における検出感度の均一性を高めることができる。また、これにより、タッチ検出回路における補正演算による補正量を減らすことができるため、例えば、タッチ位置の検出精度を高めることができる。
【００６０】
その他の効果は、上記第１の実施の形態の場合と同様である。
【００６１】
＜５．第４の実施の形態＞
次に、本発明の第４の実施の形態に係るタッチ検出機能付き表示装置９について説明する。本実施の形態は、表面ガラス板の厚さが、有効表示領域Ｓにおいて場所により異なるようにしたものである。その他の構成は上記第１の実施の形態（図４）と同様である。なお、上記第１の実施の形態に係るタッチ検出機能付き表示装置１と実質的に同一の構成部分には同一の符号を付し、適宜説明を省略する。
【００６２】
図１６は、タッチ検出機能付き表示装置９の一構成例を表すものである。タッチ検出機能付き表示装置９において、表面ガラス板３６は、図１６に示したように、その厚さが場所によって異なるように形成されている。具体的には、表面ガラス板３６は、タッチ検出電極ＴＤＬの延在方向と交差する方向において、有効表示領域Ｓの中央付近では厚くなるように形成され、有効表示領域Ｓの端付近では薄くなるように形成されている。
【００６３】
図１７は、表面ガラス板３６の厚さを変えたときのフリンジによる電気力線の変化を模式的に表すものであり、（Ａ）は表面ガラス板３６が厚い場合を示し、（Ｂ）は薄い場合を示す。図１７に示したように、表面ガラス板を薄くすると、指などがタッチしたときにその指が多くのフリンジによる電気力線を遮断するようになる（部分Ｐ５）。これにより、その電気力線が遮断されたタッチ検出電極ＴＤＬに対応する領域におけるタッチの検出感度を高くすることができる。
【００６４】
図１６に示したように、タッチ検出機能付き表示装置９では、有効表示領域Ｓの中央付近では表面ガラス板３６を厚く形成し、有効表示領域Ｓの端付近では薄く形成している。これにより、例えば、表面ガラス板３６の厚さを有効表示領域Ｓで一定にして形成した場合において、有効表示領域Ｓの端付近で検出感度Ｓensが低くなったときは、その端付近の表面ガラス板３６を薄くすることにより、その部分の検出感度Ｓensを高めることができ、有効表示領域Ｓにおいて検出感度Ｓensを均一にすることができる。
【００６５】
以上のように、本実施の形態では、表面ガラス板の厚さを場所によって異なるようにしたので、検出感度を自由に設定することができる。
【００６６】
また、本実施の形態では、有効表示領域内の、タッチ検出電極に交差する方向において、外側の表面ガラス板の厚さを、より内側の厚さと同じもしくは薄くしたので、有効表示領域における検出感度の均一性を高めることができる。また、これにより、タッチ検出回路における補正演算による補正量を減らすことができるため、例えば、タッチ位置の検出精度を高めることができる。
【００６７】
その他の効果は、上記第１の実施の形態の場合と同様である。
【００６８】
以上、タッチ検出機能付き表示装置を例に実施の形態を説明したが、これに限定されるものではなく、例えば、タッチ検出装置単体で実施してもよい。以下に、その場合の例について説明する。
【００６９】
＜６．第５の実施の形態＞
次に、本発明の第５の実施の形態に係るタッチ検出装置１７について説明する。本実施の形態は、上記第２の実施の形態に係るタッチ検出機能付き表示装置７の要部をタッチ検出装置単体に適用したものであり、タッチ検出電極の電極ピッチｄが場所により異なるようにしたものである。なお、上記第２の実施の形態に係るタッチ検出機能付き表示装置７（図１０）と実質的に同一の構成部分には同一の符号を付し、適宜説明を省略する。
【００７０】
図１８は、タッチ検出装置１７の一構成例を表すものである。タッチ検出装置１７は、ガラス基板３７と、駆動電極４０とを備えている。駆動電極４０は、上述した静電容量式タッチ検出の基本原理における駆動電極Ｅ１に対応するものであり、上記第２の実施の形態等における共通電極ＣＯＭＬに対応するものである。ガラス基板３７の一方の面には駆動電極４０が並設され、他方の面には、駆動電極４０と交差する方向にタッチ検出電極ＴＤＬが並設されている。タッチ検出電極ＴＤＬは、上記第２の実施の形態に係るタッチ検出機能付き表示装置７の場合と同様に、その電極ピッチｄが異なるように並設されている。具体的には、タッチ検出電極ＴＤＬは、タッチ検出電極ＴＤＬの延在方向と交差する方向において、タッチ検出装置１７の中央付近では電極ピッチｄが狭くなるように配置され、端付近では電極ピッチｄが広くなるように配置されている。これにより、上記第２の実施の形態の場合と全く同様に、タッチに対する検出感度Ｓensを均一にすることができる。
【００７１】
以上のように、本実施の形態では、タッチ検出電極の電極ピッチがそれぞれ異なるようにしたので、タッチ検出電極に交差する方向において、検出感度を自由に設定することができる。
【００７２】
また、本実施の形態では、外側に配置したタッチ検出電極の電極ピッチを、より内側に配置したタッチ検出電極の電極ピッチと同じもしくは大きくしたので、検出感度の均一性を高めることができる。また、これにより、タッチ検出回路における補正演算による補正量を減らすことができるため、例えば、タッチ位置の検出精度を高めることができる。
【００７３】
＜７．第６の実施の形態＞
次に、本発明の第６の実施の形態に係るタッチ検出装置１８について説明する。本実施の形態は、上記第３の実施の形態に係るタッチ検出機能付き表示装置８の要部をタッチ検出装置単体に適用したものであり、タッチ検出電極の電極幅ｗが場所により異なるようにしたものである。なお、上記第３の実施の形態に係るタッチ検出機能付き表示装置８と実質的に同一の構成部分には同一の符号を付し、適宜説明を省略する。
【００７４】
図１９は、タッチ検出装置１８の一構成例を表すものである。タッチ検出電極ＴＤＬは、上記第３の実施の形態に係るタッチ検出機能付き表示装置８の場合と同様に、その電極幅ｗが場所により異なるように形成されている。具体的には、タッチ検出電極ＴＤＬは、タッチ検出電極ＴＤＬの延在方向と交差する方向において、タッチ検出装置１８の中央付近では電極幅ｗが広くなるように形成され、端付近では電極幅ｗが狭くなるように形成されている。これにより、上記第３の実施の形態の場合と全く同様に、タッチに対する検出感度Ｓensを均一にすることができる。
【００７５】
以上のように、本実施の形態では、タッチ検出電極の電極幅がそれぞれ異なるようにしたので、タッチ検出電極に交差する方向において、検出感度を自由に設定することができる。
【００７６】
また、本実施の形態では、外側に配置したタッチ検出電極の電極幅を、より内側に配置した電極幅と同じもしくは狭くしたので、検出感度の均一性を高めることができる。また、これにより、タッチ検出回路における補正演算による補正量を減らすことができるため、例えば、タッチ位置の検出精度を高めることができる。
【００７７】
＜８．第７の実施の形態＞
次に、本発明の第７の実施の形態に係るタッチ検出装置１９について説明する。本実施の形態は、上記第４の実施の形態に係るタッチ検出機能付き表示装置９の要部をタッチ検出装置単体に適用したものであり、表面ガラス板の厚さが場所により異なるようにしたものである。なお、上記第４の実施の形態に係るタッチ検出機能付き表示装置９と実質的に同一の構成部分には同一の符号を付し、適宜説明を省略する。
【００７８】
図２０は、タッチ検出装置１９の一構成例を表すものである。タッチ検出装置１９は、平坦化層３７を備えている。平坦化層３７は、例えば絶縁層、保護膜、偏光板などを使用可能である。平坦化層３７は、ガラス基板３７におけるタッチ検出電極ＴＤＬが形成された面に形成されるものであり、その上に表面ガラス板３６が配置される。表面ガラス板３６は、上記第４の実施の形態に係るタッチ検出機能付き表示装置９の場合と同様に、その厚さが場所によって異なるように形成されている。具体的には、表面ガラス板３６は、タッチ検出電極ＴＤＬの延在方向と交差する方向において、タッチ検出装置１９の中央付近では厚くなるように形成され、端付近では薄くなるように形成されている。これにより、上記第４の実施の形態の場合と全く同様に、タッチに対する検出感度Ｓensを均一にすることができる。
【００７９】
以上のように、本実施の形態では、表面ガラス板の厚さを場所によって異なるようにしたので、検出感度を自由に設定することができる。
【００８０】
また、本実施の形態では、タッチ検出電極に交差する方向において、外側の表面ガラス板の厚さを、より内側の厚さと同じもしくは薄くしたので、検出感度の均一性を高めることができる。また、これにより、タッチ検出回路における補正演算による補正量を減らすことができるため、例えば、タッチ位置の検出精度を高めることができる。
【００８１】
＜９．適用例＞
次に、図２１〜図２５を参照して、上記実施の形態および変形例で説明したタッチ検出機能付き表示装置およびタッチ検出装置の適用例について説明する。上記実施の形態等のタッチ検出機能付き表示装置等は、テレビジョン装置、デジタルカメラ、ノート型パーソナルコンピュータ、携帯電話等の携帯端末装置あるいはビデオカメラなどのあらゆる分野の電子機器に適用することが可能である。言い換えると、上記実施の形態等のタッチ検出機能付き表示装置等は、外部から入力された映像信号あるいは内部で生成した映像信号を、画像あるいは映像として表示するあらゆる分野の電子機器に適用することが可能である。
【００８２】
（適用例１）
図２１は、上記実施の形態等のタッチ検出機能付き表示装置等が適用されるテレビジョン装置の外観を表すものである。このテレビジョン装置は、例えば、フロントパネル５１１およびフィルターガラス５１２を含む映像表示画面部５１０を有しており、この映像表示画面部５１０は、上記実施の形態等に係るタッチ検出機能付き表示装置等により構成されている。
【００８３】
（適用例２）
図２２は、上記実施の形態等のタッチ検出機能付き表示装置等が適用されるデジタルカメラの外観を表すものである。このデジタルカメラは、例えば、フラッシュ用の発光部５２１、表示部５２２、メニュースイッチ５２３およびシャッターボタン５２４を有しており、その表示部５２２は、上記実施の形態等に係るタッチ検出機能付き表示装置等により構成されている。
【００８４】
（適用例３）
図２３は、上記実施の形態等のタッチ検出機能付き表示装置等が適用されるノート型パーソナルコンピュータの外観を表すものである。このノート型パーソナルコンピュータは、例えば、本体５３１、文字等の入力操作のためのキーボード５３２および画像を表示する表示部５３３を有しており、その表示部５３３は、上記実施の形態等に係るタッチ検出機能付き表示装置等により構成されている。
【００８５】
（適用例４）
図２４は、上記実施の形態等のタッチ検出機能付き表示装置等が適用されるビデオカメラの外観を表すものである。このビデオカメラは、例えば、本体部５４１、この本体部５４１の前方側面に設けられた被写体撮影用のレンズ５４２、撮影時のスタート／ストップスイッチ５４３および表示部５４４を有している。そして、その表示部５４４は、上記実施の形態等に係るタッチ検出機能付き表示装置等により構成されている。
【００８６】
（適用例５）
図２５は、上記実施の形態等のタッチ検出機能付き表示装置等が適用される携帯電話機の外観を表すものである。この携帯電話機は、例えば、上側筐体７１０と下側筐体７２０とを連結部（ヒンジ部）７３０で連結したものであり、ディスプレイ７４０、サブディスプレイ７５０、ピクチャーライト７６０およびカメラ７７０を有している。そのディスプレイ７４０またはサブディスプレイ７５０は、上記実施の形態等に係るタッチ検出機能付き表示装置等により構成されている。
【００８７】
以上、いくつかの実施の形態および変形例、ならびに電子機器への適用例を挙げて本発明を説明したが、本発明はこれらの実施の形態等には限定されず、種々の変形が可能である。
【００８８】
例えば、上記第１〜第４の実施の形態等では、ＦＦＳやＩＰＳ等の横電界モードの液晶を用いた液晶表示デバイスとタッチ検出デバイスとを一体化したが、これに代えて、ＴＮ（ツイステッドネマティック）、ＶＡ（垂直配向）、ＥＣＢ（電界制御複屈折）等の各種モードの液晶を用いた液晶表示デバイスとタッチ検出デバイスとを一体化してもよい。このような液晶を用いた場合には、タッチ検出機能付き表示装置を、図２６にしめしたように構成可能である。図２６は、本変形例に係るタッチ検出機能付き表示装置の要部断面構造の一例を表すものであり、画素基板２Ｂと対向基板３Ｂとの間に液晶層６Ｂを挟持された状態を示している。その他の各部の名称や機能等は図５の場合と同様なので、説明を省略する。この例では、図５の場合とは異なり、表示用とタッチ検出用の双方に兼用される共通電極ＣＯＭＬは、対向基板３Ｂに形成されている。
【００８９】
また、例えば、第２〜第４の実施の形態に係るタッチ検出機能付き表示装置７〜９を組み合わせてもよい。具体的には、例えば、タッチ検出電極ＴＤＬの電極ピッチｄおよび電極幅ｗの両方が、有効表示領域Ｓにおいて異なるようにしてもよいし、タッチ検出電極ＴＤＬの電極ピッチｄが有効表示領域Ｓにおいて異なるようにしつつ、表面ガラス板の厚さが場所により異なるようにしても良いし、タッチ検出電極ＴＤＬの電極幅ｗが異なるようにしつつ表面ガラス板の厚さが場所により異なるようにしても良い。また、例えば、タッチ検出電極ＴＤＬの電極ピッチｄおよび電極幅ｗの両方が有効表示領域Ｓにおいて異なるようにしつつ、表面ガラス板の厚さが場所により異なるようにしても良い。同様に、第５〜第７の実施の形態に係るタッチ検出装置１７〜１９を組み合わせてもよい。
【符号の説明】
【００９０】
１，１Ｂ，７，８，９…タッチ検出機能付き表示装置、２，２Ｂ…画素基板、３，３Ｂ…対向基板、４…シール、５…ＦＰＣ、６，６Ｂ…液晶層、２１…ＴＦＴ基板、２２…画素電極、２３…絶縁層、３１，３７…ガラス基板、３２…カラーフィルタ、３５…偏光板、３６…表面ガラス板、３８…平坦化層、４０…駆動電極、ＣＯＭＬ…共通電極、ｄ…電極ピッチ、ＧＣＬ…走査信号線、ＬＣ…液晶素子、Ｓ…有効表示領域、Ｓens…検出感度、Ｓｔ…タッチ検出領域、ＳＧＬ…画素信号線、Ｐix…画素、ＴＤＬ…タッチ検出電極、Ｔｒ…ＴＦＴ素子、Ｖdet…タッチ検出信号、ｗ…電極幅。
【図１】
0005616184.tif 000002
【図２】
0005616184.tif 000003
【図３】
0005616184.tif 000004
【図４】
0005616184.tif 000005
【図５】
0005616184.tif 000006
【図６】
0005616184.tif 000007
【図７】
0005616184.tif 000008
【図８】
0005616184.tif 000009
【図９】
0005616184.tif 000010
【図１０】
0005616184.tif 000011
【図１１】
0005616184.tif 000012
【図１２】
0005616184.tif 000013
【図１３】
0005616184.tif 000014
【図１４】
0005616184.tif 000015
【図１５】
0005616184.tif 000016
【図１６】
0005616184.tif 000017
【図１７】
0005616184.tif 000018
【図１８】
0005616184.tif 000019
【図１９】
0005616184.tif 000020
【図２０】
0005616184.tif 000021
【図２１】
0005616184.tif 000022
【図２２】
0005616184.tif 000023
【図２３】
0005616184.tif 000024
【図２４】
0005616184.tif 000025
【図２５】
0005616184.tif 000026
【図２６】
0005616184.tif 000027